(57)【特許請求の範囲】
【請求項１】
気流中に配置されて前記気流に放電して気流中の物質を帯電させる帯電電極と、
前記気流の流通方向に沿って前記帯電電極の下流に配置され、絶縁性の第１面で気流を受けるメッシュシートと、
前記第１面の反対側の前記メッシュシートの第２面に支持され、電力供給を受けずにグラウンドに接続される導電材の被膜を有する集塵電極と、
前記気流の流通方向に沿って前記集塵電極の下流に配置され、空気で前記集塵電極から隔てられ、メッシュシートで形成されて、少なくとも前記集塵電極の前記導電材に向き合わせられる面に沿って前記帯電電極と同極性の電気的な障壁を形成する導電材を有する反発電極と
を備えることを特徴とする電気集塵装置。
【請求項２】
請求項１に記載の電気集塵装置において、前記反発電極の導電材は前記集塵電極の導電材に等間隔に向き合わせられることを特徴とする電気集塵装置。
【請求項３】
請求項１または２に記載の電気集塵装置において、前記反発電極の前記メッシュシートは絶縁材で形成され、前記反発電極で前記集塵電極に向き合わせられる前記面の反対側の面に前記絶縁材が配置されることを特徴とする電気集塵装置。
【請求項４】
請求項１〜３のいずれか１項に記載の電気集塵装置を備えることを特徴とする空気調和機。
【発明の詳細な説明】
【技術分野】
【０００１】
本発明は、電気集塵装置や、それを利用した空気調和機に関する。
【背景技術】
【０００２】
電気集塵装置は放電電極（帯電電極）および集塵部を備える。放電電極は集塵部に対して気流の上流側で放電する。放電に応じて気流中の塵埃は帯電する。帯電した塵埃は、平板形状の集塵電極および高電圧の高圧電極からなる集塵部に付着する。このような電気集塵装置は特許文献１に開示される。
【先行技術文献】
【特許文献】
【０００３】
【特許文献１】特許第３６２２６００号
【発明の概要】
【発明が解決しようとする課題】
【０００４】
集塵部は気流の流路を確保するために、気流の流通方向に平行に配置される平板形状の集塵電極および高圧電極が向き合わせられ、両電極の間に電界が生じる。帯電した塵埃の進路は集塵電極と高圧電極の間に生じる電界から受けるクーロン力によって曲げられる。集塵電極に塵埃が付着する。しかしながら、こうした電気集塵装置では、高圧電極は集塵電極に近接して配置される一方で、集塵電極および高圧電極で区画される気流の経路は、気流の流通方向に対して長さが要求される。その結果、通風抵抗の増大を招くこととなる。通風抵抗の増大を回避しながら微細な塵埃といった微粒子を捕獲する技術が求められていた。
【０００５】
本発明のいくつかの態様によれば、通風抵抗の低減と集塵の効率化を実現することができる電気集塵装置を提供することができる。
【課題を解決するための手段】
【０００６】
本発明の一態様は、気流中に配置されて前記気流に放電して気流中の物質を帯電させる帯電電極と、前記気流の流通方向に沿って前記帯電電極の下流に配置され、メッシュシートで形成されて、少なくとも前記気流を受ける第１面の反対側の第２面に導電材を有する集塵電極と、前記気流の流通方向に沿って前記集塵電極の下流に配置され、メッシュシートで形成されて、少なくとも前記集塵電極の前記導電材に向き合わせられる面に沿って前記帯電電極と同極性の電気的な障壁を形成する導電材を有する反発電極とを備える電気集塵装置に関する。
【０００７】
帯電電極から放電が実施されると、気流中の塵埃といった微粒子は特定の極性で帯電する。気流は集塵電極のメッシュシートおよび反発電極のメッシュシートを通過する。気流に乗って帯電した微粒子は集塵電極のメッシュを通過する。帯電した微粒子は電気的な障壁に衝突する。帯電した微粒子と電気的な障壁とは同極性を有することから、帯電した微粒子は電気的な障壁で跳ね返される。これによって微粒子の進行速度が減じられるとともに進行方向が逆方向となり、帯電した微粒子は容易く集塵電極に付着する。こうして微細な塵埃などの微粒子は集塵電極に捕獲される。いわゆるメッシュシートのメッシュでは気流の流通経路の長さに比べて開口の広がりは大きく設定されることができる。その結果、集塵電極のメッシュシートおよび反発電極のメッシュシートの圧力損失は著しく抑制される。電気集塵装置は圧力損失を回避しながら効果的に微粒子を捕獲することができる。
【０００８】
電気集塵装置では前記集塵電極の前記導電材はグラウンドに接続されればよい。塵埃といった微粒子が集塵電極の導電材に付着すると、微粒子の電荷は集塵電極の導電材に移動する。電荷はグラウンドに流れる。こうして集塵電極では帯電電極と同極性の電位の形成は回避されることができる。微粒子の付着量が増加しても、確実に新たな微粒子は集塵電極に付着していくことができる。仮に集塵電極で電荷の逃げ道が閉ざされると、電荷の付着量の増加に伴って集塵電極上で帯電電極と同極性の電位が生成され、同極性の反発力に応じて微粒子の付着は妨げられてしまう。
【０００９】
前記反発電極の導電材は前記集塵電極の導電材に等間隔で向き合わせられることが望まれる。こうして電気的な障壁では電位の分布の偏りはできる限り抑制されることができる。その結果、集塵電極上に満遍なく微粒子は付着することができる。しかも、反発電極と集塵電極との間で放電が生じることを防止できる。
【００１０】
前記集塵電極の前記メッシュシートおよび前記電界電極の前記メッシュシートは絶縁材で形成されればよく、前記集塵電極の前記第２面に前記絶縁材が配置さればよく、前記反発電極で前記集塵電極に向き合わせられる前記面の反対側の面に前記絶縁材が配置されればよい。集塵電極の下流に反発電極が配置され、集塵電極上の導電材に反発電極上の導電材は向き合わせられる。こうして集塵電極の導電材および反発電極の導電材は絶縁材同士の間に配置される。高電圧が供給される導電材に対して、ユーザーが外側から直接接触することを防止できる。
【００１１】
以上のような電気集塵装置は空気調和機に組み込まれて利用されることができる。こうして空気調和機で空気清浄機能は実現されることができる。その他、電気集塵装置は空気清浄機や換気装置に組み込まれて利用されてもよい。こうした電気集塵装置はクリーンルームに利用されてもよい。
【発明の効果】
【００１２】
以上のように開示の態様によれば、集塵の効率化は実現されることができる。
【図面の簡単な説明】
【００１３】
【図１】本発明の一実施形態に係る空気調和機の構成を概略的に示す概念図である。
【図２】一実施形態に係る室内機の外観を概略的に示す斜視図である。
【図３】室内機の本体の構成を概略的に示す斜視図である。
【図４】室内機の構造を概略的に示す分解斜視図である。
【図５】エアフィルタの構造を概略的に示す拡大斜視図である。
【図６】図５のＡ−Ａ線に沿った断面図である。
【図７】室内機の本体の拡大垂直断面図である。
【図８】本発明に係る電気集塵の原理を概略的に示す拡大断面図である。
【図９】本発明の一実施形態に係る空気清浄機の構成を概略的に示す分解斜視図である。
【図１０】他の実施形態に係る空気清浄機の構成を概略的に示す分解斜視図である。
【図１１】本発明の一実施形態に係る換気装置の構成を概略的に示す分解斜視図である。
【図１２】本発明の一実施形態に係るクリーンルームの構成を概略的に示す概念図である。
【発明を実施するための形態】
【００１４】
以下、添付図面を参照しつつ本発明の一実施形態を説明する。
【００１５】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１６】
冷凍回路１９は第１循環経路２１を備える。第１循環経路２１は四方弁１８の第１口１８ａおよび第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１７】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーの交換をする。室内熱交換器１４は、通過する冷媒と周囲の空気との間で熱エネルギーの交換をする。第２循環経路２２は例えば銅管などの冷媒配管で形成されればよい。
【００１８】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の回転数に応じて調整される。
【００１９】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００２０】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００２１】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２２】
（２）室内機の構成
図２は一実施形態に係る室内機１２の外観を概略的に示す。室内機１２の本体２６には、アウターパネル２７が覆い被さる。本体２６の下面には吹出口２８が形成される。吹出口２８は室内に向けて開口される。本体２６は例えば室内の壁面に固定されることができる。吹出口２８は、室内熱交換器１４で生成される冷気または暖気の気流を吹き出す。
【００２３】
吹出口２８には前後１対の上下風向板３１ａ、３１ｂが配置される。上下風向板３１ａ、３１ｂはそれぞれ水平軸線３２ａ、３２ｂ回りに回転することができる。回転に応じて上下風向板３１ａ、３１ｂは吹出口２８を開閉することができる。上下風向板３１ａ、３１ｂの角度に応じて、吹き出される気流の方向は変えられる。
【００２４】
図３に示されるように、本体２６には吸込口３３が形成される。吸込口３３は本体２６の正面および上面で開口する。アウターパネル２７は本体２６の正面で吸込口３３に覆い被さることができる。室内熱交換器１４に流入する空気は、吸込口３３から取り込まれる。
【００２５】
吸込口３３には、吸込口３３の長手方向に渡り、同形状のエアフィルタアセンブリ３４が複数配置される。エアフィルタアセンブリ３４はエアフィルタ３５および保持部３６を備える。エアフィルタ３５は保持部３６に保持される。保持部３６は枠体３７を有する。保持部３６は枠体３７で本体２６に固定される。保持部３６が本体２６にセットされると、エアフィルタ３５は吸込口３３の全面に渡って配置される。
【００２６】
保持部３６の枠体３７には後述するエアフィルタ３５の枠部を保持する前側のフィルタレール３８が設けられる。前側のフィルタレール３８に対応して本体２６には後側のフィルタレール３９が設けられる。フィルタレール３８、３９は、エアフィルタ３５の左右両端をスライド可能に保持するよう、水平軸線３２ａ、３２ｂに直交する垂直面に沿って設けられる。エアフィルタ３５はフィルタレール３８、３９に沿って移動する。
【００２７】
図４に示されるように、本体２６には送風ファン２４が回転自在に支持される。送風ファン２４には例えばクロスフローファンが用いられる。送風ファン２４は水平軸線３２ａ、３２ｂに平行な回転軸４１回りで回転する。送風ファン２４の回転軸４１は本体２６の設置時の水平方向に延びる。送風ファン２４は吹出口２８に平行に配置される。送風ファン２４には駆動源（図示せず）から回転軸４１回りの駆動力が伝達される。駆動源は本体２６に支持される。送風ファン２４の回転に応じて気流は室内熱交換器１４を通過する。その結果、冷気または暖気の気流が生成される。冷気または暖気の気流は吹出口２８から吹き出される。
【００２８】
室内熱交換器１４は前側体１４ａおよび後側体１４ｂを備える。前側体１４ａは送風ファン２４の前側から送風ファン２４に向き合わせられる。後側体１４ｂは送風ファン２４の後側から送風ファン２４に向き合わせられる。前側体１４ａおよび後側体１４ｂは上端で相互に連結される。前側体１４ａおよび後側体１４ｂは冷媒管４２ａを有する。冷媒管４２ａは水平方向に往復する。すなわち、冷媒管４２ａは、水平軸線３２ａ、３２ｂに平行に延び、本体２６の正面視左右端で折り返され、再び水平軸線３２ａ、３２ｂに平行に延び、再び本体２６の正面視左右端で折り返され、これらが繰り返される。冷媒管４２ａは第２循環経路２２の一部を構成する。冷媒管４２ａには複数の放熱フィン４２ｂが結合される。放熱フィン４２ｂは水平軸線３２ａ、３２ｂに直交しつつ相互に平行に広がる。冷媒管４２ａおよび放熱フィン４２ｂは例えば銅やアルミといった金属材料から成形されることができる。冷媒管４２ａおよび放熱フィン４２ｂを通じて冷媒と空気との間で熱交換が実現される。
【００２９】
図４に示されるように、エアフィルタアセンブリ３４はフィルタ清掃ユニット４３および電気集塵ユニット（電気集塵装置）４４を含む。フィルタ清掃ユニット４３は上ダストボックス４５および下ダストボックス４６を備える。上ダストボックス４５および下ダストボックス４６は保持部３６の枠体３７を有している。上ダストボックス４５はエアフィルタ３５の前面側に配置される。上ダストボックス４５はカバー４７を有する。カバー４７はボックス本体４８の塵埃貯留部４９を開閉可能に覆うように設けられている。下ダストボックス４６はエアフィルタ３５の後面側に配置される。上ダストボックス４５および下ダストボックス４６はエアフィルタ３５に対して水平方向に配置されている。エアフィルタ３５の清掃時、概ねエアフィルタ３５の前面の塵埃は上ダストボックス４５のボックス本体４８に回収され、エアフィルタ３５の後面の塵埃は下ダストボックス４６に回収される。
【００３０】
フィルタ清掃ユニット４３は第１従動ギア５１および第２従動ギア５２を備える。第１従動ギア５１は上ダストボックス４５に取り付けられる。第１従動ギア５１は水平軸５３回りで回転する。第１従動ギア５１は、上ダストボックス４５内の後述する清掃ブラシ６６を回動させる。第１従動ギア５１の歯は上ダストボックス４５の外面から部分的に露出する。同様に、第２従動ギア５２は下ダストボックス４６に取り付けられる。第２従動ギア５２は水平軸５４回りで回転する。第２従動ギア５２は、下ダストボックス４６の両端側に設けられており、後述するエアフィルタ３５を駆動する。第２従動ギア５２の歯は下ダストボックス４６の外面から部分的に露出する。エアフィルタアセンブリ３４が本体２６にセットされると、第１従動ギア５１は本体２６に搭載の第１駆動ギア（図示されず）に噛み合い、同様に第２従動ギア５２は本体２６に搭載の第２駆動ギア（図示されず）に噛み合う。個々の駆動ギアには個別に電動モータといった駆動源（図示されず）が連結される。個々の駆動源から供給される駆動力に応じて第１従動ギア５１および第２従動ギア５２は個別に回転する。
【００３１】
電気集塵ユニット４４は、イオナイザ５５と、後述する帯電電極と、後述する集塵電極とを備える。イオナイザ５５は上ダストボックス４５に設けられる。イオナイザ５５の筐体５６は上ダストボックス４５のカバー４７に一体的に設けられればよい。イオナイザ５５の筐体５６には上下に開口５７が形成される。開口５７からイオンおよびオゾンが放出される。放出されたイオンおよびオゾンはアウターパネル２７とエアフィルタ３５との間の空間に分散する。イオナイザ５５は配線（図示されず）で本体２６内の図示しない制御部に電気的に接続される。イオナイザ５５の配線は着脱可能な電気接点を有しており、エアフィルタアセンブリ３４の取り付けおよび取り外しの際には、配線の結合および分断が行われる。配線を通じてイオナイザ５５には動作電力が供給される。
【００３２】
図５に示されるように、エアフィルタ３５はフレーム６１およびメッシュシート６２を備える。メッシュシート６２は例えばポリエチレンテレフタラートの繊維（樹脂繊維）を格子状に組み合わせて構成される。メッシュシート６２はフレーム６１に支持される。フレーム６１はメッシュシート６２の形状を保持する機能を有する。フレーム６１は樹脂材料（例えばポリプロピレン）から成形される。フレーム６１およびメッシュシート６２は第１絶縁体６３を構成する。メッシュシート６２のメッシュは気流に対して交差するように設けられ、通気路を区画する。
【００３３】
エアフィルタ３５のフレーム６１にはラック６４が形成される。ラック６４は、フレーム６１の一対の対向する枠部に設けられている。ラック６４は、下ダストボックス４６に収納されるピニオン（図示されず）に噛み合う。ピニオンは第２従動ギア５２に連結される。第２従動ギア５２の回転はピニオンに伝達される。こうして第２従動ギア５２の回転に応じて、エアフィルタ３５はフィルタレール３８、３９に沿って前後に移動する。上ダストボックス４５および下ダストボックス４６に対してエアフィルタ３５は相対的に移動する。
【００３４】
図６に示されるように、エアフィルタ３５の気流に対して下流側となる面（後面）には導電材の被膜６５が形成される。導電材には例えばアルミニウムといった金属材料が用いられることができる。被膜６５はエアフィルタ３５の後述する反発電極７４側の面でメッシュシート６２の表面に積層される。被膜６５の形成には例えばスパッタリング法が用いられればよい。メッシュシート６２によって格子状に区画された通気路はそのまま確保される。エアフィルタ３５の室内側の面（前面）には一面に絶縁材が維持される。被膜６５は本体２６のグラウンドに接続される。こうした接続にあたって、本体２６には被膜６５の一部に接触する電気的な接点（図示されず）が形成されればよい。接点から被膜６５の電位はグラウンドに落とされればよい。被膜６５に接触する電気的な接点は保持部３６の枠体３７に形成されてもよく、その場合には、枠体３７の接点から延びる配線が本体２６上の接点に接続されればよい。
【００３５】
図７に示されるように、フィルタ清掃ユニット４３は清掃ブラシ６６を備える。清掃ブラシ６６は上ダストボックス４５内に収納される。清掃ブラシ６６はブラシ台座６７を備える。ブラシ台座６７は第１従動ギア５１からの駆動力により水平軸６８回りに回転することができる。ブラシ毛６９はブラシ台座６７の筒面上に所定の中心角範囲にわたって配置される。ブラシ毛６９の植毛範囲はブラシ台座６７の軸方向にエアフィルタ３５を横切る広がりを有する。清掃ブラシ６６は所定の回転位置でブラシ毛６９をエアフィルタ３５に接触させ当該回転位置以外ではブラシ毛６９をエアフィルタ３５から離脱させる。ブラシ毛６９がエアフィルタ３５に接触する状態で水平軸線３２ａ、３２ｂに直交する垂直面に沿った方向にエアフィルタ３５が移動すると、エアフィルタ３５の前面に付着した塵埃は、ブラシ毛６９に絡め取られることができる。
【００３６】
フィルタ清掃ユニット４３はブラシ受け７１を備える。ブラシ受け７１は下ダストボックス４６内に収納される。ブラシ受け７１は受け面７２を有する。受け面７２は清掃ブラシ６６に向き合わせられる。ブラシ毛６９がエアフィルタ３５に接触する際に受け面７２はブラシ毛６９との間にエアフィルタ３５を挟み込む。その他、受け面７２にはブラシ毛が植毛されてもよい。
【００３７】
電気集塵ユニット４４のイオナイザ５５は帯電電極７３を有する。イオナイザ５５は本体２６の帯電電極用高電圧電源５９から高電圧の電力の供給を受けて空気中に放電する。放電によりイオンおよびオゾンが生成される。こうして生成されたイオンおよびオゾンがイオナイザ５５の開口５７から放出される。
【００３８】
電気集塵ユニット４４は反発電極７４をさらに備える。反発電極７４は帯電粒子を反発させる電界を生じさせるものであれば良い。通風抵抗の増大を防ぐためには、反発電極７４はエアフィルタ３５と同様な構造を有すればよい。すなわち、反発電極７４はフレーム７５およびメッシュシート７６を備える。メッシュシート７６は例えばポリエチレンテレフタラートの繊維（樹脂繊維）から織られる。メッシュシート７６はフレーム７５に支持される。フレーム７５はメッシュシート７６の形状を保持する機能を有する。フレーム７５は例えばポリプロピレンから成形される。フレーム７５およびメッシュシート７６は第２絶縁体７７を構成する。メッシュシート７６のメッシュは気流に対して交差するように設けられ、通気路を区画する。
【００３９】
反発電極７４の集塵電極側（ここではエアフィルタ３５側）の面は導電材の被膜７８で覆われる。導電材には例えばアルミニウムといった金属材料が用いられることができる。被膜７８は反発電極７４の帯電電極７３側の面で第２絶縁体７７の表面に積層される。被膜７８の形成には例えばスパッタリング法が用いられればよい。区画された通気路はそのまま確保される。反発電極７４の後面には一面に絶縁材（第２絶縁体７７）が維持される。
【００４０】
反発電極７４は下ダストボックス４６と一体的に設けられたフィルタレール３８の熱交換器側に固定されればよい。前面の被膜７８とエアフィルタ３５の被膜６５との間には空間が形成される。すなわち、被膜７８と被膜６５との間には距離が確保される。ここでは、被膜７８は被膜６５に等間隔で向き合わせられる。こうして電気集塵ユニット４４は集塵電極としてエアフィルタ３５を利用する。
【００４１】
被膜７８は本体２６の反発電極用高電圧電源７９に接続される。反発電極７４と反発電極用高電圧電源７９を接続する配線は着脱可能な電気接点を有しており、エアフィルタアセンブリ３４の取り付けおよび取り外しの際には、配線の結合および分断が行われる。配線を通じて被膜７８には高電圧が供給される。ここでは、反発電極７４の被膜７８には帯電電極７３と同極性の電圧が供給される。したがって、高電圧の供給を受けて反発電極７４は前面の被膜７８に沿って帯電電極７３と同極性の電気的な障壁を形成する。
【００４２】
（３）室内機の動作
送風ファン２４が動作すると、本体２６内では吸込口３３から吹出口２８に向かって気流が生成される。吸込口３３から吸引された空気はエアフィルタ３５を通過して室内熱交換器１４を通過する。冷房運転時には空気は室内熱交換器１４で冷却されて吹出口２８から吹き出される。暖房運転時には空気は室内熱交換器１４で暖められて吹出口２８から吹き出される。気流がエアフィルタ３５を通過する際にメッシュシート６２のメッシュの大きさよりも大きい塵埃はメッシュを通過することができない。大きい塵埃はエアフィルタ３５の前面に捕獲される。メッシュの大きさよりも小さい塵埃などの微粒子は、後述する電気集塵の原理によりエアフィルタ３５の後面に付着する。こうして室内熱交換器１４に向かって流れる気流から塵埃などは除去される。室内熱交換器１４には清浄な気流が流れ込む。吹出口２８から清浄な空気の冷気または暖気は吹き出される。
【００４３】
エアフィルタ３５の清掃が行われる際のフィルタ清掃ユニット４３の動作について説明する。ブラシ台座６７の回転動作に応じて清掃ブラシ６６のブラシ毛６９はエアフィルタ３５の前面に接触する。このとき、エアフィルタ３５の後面はブラシ受け７１の受け面７２に受け止められる。エアフィルタ３５はブラシ毛６９と受け面７２との間に挟まれる。第２従動ギア５２が駆動されると、フィルタ３５がフィルタレール３８、３９に沿って前後に移動する。フィルタ３５の移動に応じてブラシ毛６９はエアフィルタ３５の前面をなぞる。こうしてブラシ毛６９はエアフィルタ３５の前面から大きな塵埃を絡め捕る。絡め捕られた塵埃は上ダストボックス４５に回収される。エアフィルタ３５の後面ではグラウンドの働きで電荷は解消されることから、受け面７２とエアフィルタ３５が接触することで微粒子はエアフィルタ３５の後面から落下する。落下した微粒子は下ダストボックス４６に回収される。
【００４４】
（４）電気集塵の原理
図８に示されるように、送風ファン２４で生成される気流中に、帯電電極７３、エアフィルタ３５（集塵電極）および反発電極７４が配置される。気流の流通方向に沿って、帯電電極７３の下流にエアフィルタ３５が配置され、エアフィルタ３５の下流に反発電極７４が配置される。帯電電極７３は気流に放電する。ここでは、放電により気流中に正のイオン８１が生成される。正のイオン８１は気流中の塵埃などの微粒子８２に付着する。こうして微粒子８２は正に帯電する（以下、帯電した微粒子を「帯電微粒子８３」という）。
【００４５】
反発電極７４の被膜７８に高電圧が供給されると、反発電極７４のメッシュシート７６の表面は正に帯電する。正に帯電したメッシュシート７６は、気流の流通方向に交差する姿勢の電気的な障壁８４を形成する。ここでは、電気的な障壁８４は気流の流通方向に直交する。電気的な障壁８４はメッシュシート７６の表面に沿って連続する。ここで電気的な障壁８４は帯電電極７３と同極性すなわち正極性としている。
【００４６】
気流は、通気路がメッシュシート６２のメッシュで区画される領域を通過する。気流に乗った帯電微粒子８３はメッシュシート６２のメッシュよりも小さいことからエアフィルタ３５のメッシュシート６２を通過する。帯電微粒子８３は電気的な障壁８４に衝突する。帯電微粒子８３と電気的な障壁８４とは同極性を有することから、帯電微粒子８３は電気的な障壁８４で跳ね返される。これによって帯電微粒子８３の進行速度が減じられるとともに進行方向が逆方向となり、帯電微粒子８３はエアフィルタ３５に向かって移動し被膜６５に付着する。
【００４７】
本願では集塵電極および反発電極をメッシュシート状にしているため、気流の流通経路に対して長さ方向に電極を設けずに済む。そのため、集塵装置による圧力損失を大きくすることなく、塵埃の除去が可能となる。
【００４８】
エアフィルタ３５の被膜６５はグラウンド８５に接続される。帯電微粒子８３がエアフィルタ３５の被膜６５に付着すると、帯電微粒子８３とグラウンド８５との間で、電荷のやり取りがなされる。帯電微粒子８３の帯電した状態が解消される。こうしてエアフィルタ３５が帯電電極７３と同極性の電位となることを防止できる。帯電微粒子８３の付着量が増加しても、確実に新たな帯電微粒子８３はエアフィルタ３５に付着していくことができる。なお、ここでは集塵電極としてのエアフィルタ３５の極性をグラウンドとしたが、帯電微粒子８３を付着させられる極性を持っていればよく、帯電微粒子８３と逆の極性、すなわち負の極性となるようにしてもよい。
【００４９】
反発電極７４の被膜７８はエアフィルタ３５の被膜６５に等間隔に向き合わせられることが望ましい。そうすれば電気的な障壁８４では電位の分布の偏りが抑制される。その結果、エアフィルタ３５上に満遍なく帯電微粒子８３は付着することができる。ここで、被膜７８と被膜６５の距離が一定でない場合、近接した個所でスパークが生じる可能性がある。しかし、上述のように等間隔とすることで、反発電極７４の被膜７８とエアフィルタ３５の被膜６５との間でスパークが発生することを防止できる。
【００５０】
ここでは、エアフィルタ３５では第１絶縁体６３は前面（第１面）で気流を受け後面（当該第１面の反対側の第２面）で被膜６５を支持する。同様に、反発電極７４では第２絶縁体７７はエアフィルタ３５の被膜６５に向き合わせられる面で被膜７８を支持する。こうしてエアフィルタ３５上の被膜６５に反発電極７４上の被膜７８は向き合わせられる。エアフィルタ３５の被膜６５および反発電極７４の被膜７８は第１絶縁体６３および第２絶縁体７７の間に配置される。これにより、高電圧が供給される被膜７８に対して、ユーザーが外側から直接接触することを防止できる。また、金属材料により被覆された面（被膜６５）は樹脂材料からなる絶縁体（第１絶縁体６３）の表面よりも凹凸が少ない。そのため、帯電微粒子８３が付着する面を反発電極７４側とすることで、エアフィルタ３５の清掃が容易となる。
【００５１】
なお、図８ではイオナイザ５５から正のイオンを放出する例を示したが、他の実施例として、負のイオンを放出するようにしてもよい。その場合は、反発電極７４の極性を負となるようにし、集塵電極（エアフィルタ３５）の極性を正またはグラウンドとすればよい。
【００５２】
（５）空気清浄機の構成
図９は本発明の一実施形態に係る空気清浄機９１の構成を概略的に示す。空気清浄機９１は本体９２とフロントカバー９３とを備える。本体９２の前面にフロントカバー９３が結合される。本体９２には収容空間９４が区画される。収容空間９４はフロントカバー９３で塞がれる。フロントカバー９３には収容空間９４に繋がる前通気口９５が形成される。
【００５３】
収容空間９４には、フロントカバー９３に向き合わせられる壁面に後通気口９６が形成される。後通気口９６内には送風ファン９７が配置される。送風ファン９７が作動すると、前通気口９５から空気が収容空間９４に取り込まれる。空気は収容空間９４から後通気口９６に流れ込む。空気は後通気口９６から外部に排出される。こうして収容空間９４内では前通気口９５から後通気口９６に向かって気流が生成される。
【００５４】
収容空間９４には電気集塵ユニット（電気集塵装置）９８が収容される。電気集塵ユニット９８は風上側に複数の帯電電極９９を備える。帯電電極９９は収容空間９４の左右の壁面に沿って縦長に形成されればよい。帯電電極９９の間の空間を気流が流通する。帯電電極９９の働きで気流中の塵埃などの微粒子は特定の極性に帯電する。
【００５５】
電気集塵ユニット９８は第１エアフィルタ１０１、第１反発電極１０２、第２エアフィルタ１０３および第２反発電極１０４を備える。第１エアフィルタ１０１および第２エアフィルタ１０３は前述のエアフィルタ３５と同様に構成されればよい。すなわち、第１絶縁体の後面に導電材の被膜が形成される。被膜はグラウンドに接続される。メッシュシートのメッシュは気流に対して交差するように設けられ、通気路を区画する。同様に、第１反発電極１０２および第２反発電極１０４は前述の反発電極７４と同様に構成されればよい。すなわち、第２絶縁体の前面に導電材の被膜が形成される。被膜には高電圧の電源が接続される。メッシュシートのメッシュは気流に対して交差するように設けられ、通気路を区画する。収容空間９４内では気流は順番に帯電電極９９、第１エアフィルタ１０１、第１反発電極１０２、第２エアフィルタ１０３および第２反発電極１０４を通過する。第１反発電極１０２の被膜は第１エアフィルタ１０１の被膜に等間隔で向き合わせられる。同様に、第２反発電極１０４の被膜は第２エアフィルタ１０３の被膜に等間隔で向き合わせられる。ここで、第１反発電極１０２が第２反発電極１０４に対して帯電電極として機能するようにしてもよい。具体的には、第１反発電極１０２により電気的な障壁を生じさせるだけでなく、第１反発電極１０２から気流に放電することで気流中に正のイオンが生成されるような電圧を付加すればよい。その他、第１反発電極１０２と第２エアフィルタ１０３との間にさらに帯電電極が配置されてもよい。前述の電気集塵の原理に従って、電気集塵ユニット９８では第１エアフィルタ１０１および第２エアフィルタ１０３に塵埃などの微粒子は捕獲される。このように集塵電極と反発電極を気流に対して複数配置することで、より集塵効率を向上させることができる。空気清浄機９１では第１エアフィルタ１０１に対して前述と同様にフィルタ清掃ユニット４３が組み合わせられてもよい。
【００５６】
図１０に示されるように、空気清浄機９１ａでは第２エアフィルタ１０３および第２反発電極１０４に代えてＨＥＰＡフィルタ１０５が利用されてもよい。ＨＥＰＡフィルタ１０５は帯電せずに第１エアフィルタ１０１を通過する微粒子を捕獲することができる。電気集塵ユニット９８はＨＥＰＡフィルタ１０５のプレフィルタとして機能することができる。その場合には、プレフィルタで微粒子が捕獲されることから、ＨＥＰＡフィルタ１０５単独で微粒子が捕獲される場合に比べて、ＨＥＰＡフィルタ１０５の交換頻度を低くすることができる。
【００５７】
（６）換気装置の構成
図１１は本発明の一実施形態に係る換気装置１０７の構成を概略的に示す。換気装置１０７は筐体１０８を備える。筐体１０８には電気集塵ユニット（電気集塵装置）１０９および送風ファン１１１が収納される。電気集塵ユニット１０９は帯電電極１１２、第１エアフィルタ１１３、第１反発電極１１４、第２エアフィルタ１１５および第２反発電極１１６を含む。帯電電極１１２、第１エアフィルタ１１３、第１反発電極１１４、第２エアフィルタ１１５および第２反発電極１１６は前述と同様に機能する。送風ファン１１１が動作すると、気流は順番に帯電電極１１２、第１エアフィルタ１１３、第１反発電極１１４、第２エアフィルタ１１５および第２反発電極１１６を通過する。気流中の微粒子は第１エアフィルタ１１３および第２エアフィルタ１１５で捕獲される。こうした換気装置１０７は室内と室外とを相互に結ぶエアダクト内に設置されればよい。外気を導入する際に、空気中の塵埃などの微粒子を捕獲できる。
【００５８】
（７）クリーンルームの構成
図１２は本発明の一実施形態に係るクリーンルーム１１８の構成を概略的に示す。室内１１９は密閉された空間で構成される。室内１１９にはエアダクト１２１が接続される。エアダクト１２１は室内１１９の第１位置で開口するとともに第１位置と離れた第２位置で開口する。エアダクト１２１内には前述の換気装置１０７が組み込まれればよい。空気はエアダクト１２１を通じて循環する。循環のたびに換気装置１０７で空気は浄化される。
【符号の説明】
【００５９】
１１  空気調和機、３５  集塵電極（エアフィルタ）、４４  電気集塵装置（電気集塵ユニット）、６２  メッシュシート、６３  第１絶縁体、６５  導電材（被膜）、７３  帯電電極、７４  反発電極、７６  メッシュシート、７７  第２絶縁体、７８  導電材（被膜）、８４  電界、８５  グラウンド、９１  空気清浄機、９１ａ  空気清浄機、９８  電気集塵装置（電気集塵ユニット）、９９  帯電電極、１０１  集塵電極（第１エアフィルタ）、１０２  第１反発電極、１０３  集塵電極（第２エアフィルタ）、１０４  第２反発電極、１０９  電気集塵装置（電気集塵ユニット）、１１２  帯電電極、１１３  集塵電極（第１エアフィルタ）、１１４  第１反発電極、１１５  集塵電極（第２エアフィルタ）、１１６  第２反発電極。
【図１】
0006012652.tif 000002
【図２】
0006012652.tif 000003
【図３】
0006012652.tif 000004
【図４】
0006012652.tif 000005
【図５】
0006012652.tif 000006
【図６】
0006012652.tif 000007
【図７】
0006012652.tif 000008
【図８】
0006012652.tif 000009
【図９】
0006012652.tif 000010
【図１０】
0006012652.tif 000011
【図１１】
0006012652.tif 000012
【図１２】
0006012652.tif 000013